(57)【要約】 【課題】  製造コストの高騰を来すことなくランプハウジングとカバーの組付時における作業効率の向上を図る。【解決手段】  開口を有するランプハウジング２と、ランプハウジングの開口を覆うカバー３と、ランプハウジングの内面側に位置されたコネクター８と、カバーの内面側に位置されランプハウジングとカバーの組付状態においてコネクターと結合される結合体１８と、ランプハウジング又はカバーに取り付けられたアダプター７とを備え、コネクター又は結合体がアダプターに傾動自在に支持された。これにより、ランプハウジングとカバーの組付時に結合体とコネクターが結合されるときにコネクター又は結合体がアダプターに対して傾動可能な状態であり、結合体の位置又はコネクターの位置に応じてコネクター又は結合体が傾動されて結合体とコネクターが結合される。【選択図】図２
2017120734.tif 000002
【特許請求の範囲】
【請求項１】
開口を有するランプハウジングと、
前記ランプハウジングの前記開口を覆うカバーと、
前記ランプハウジングの内面側に位置されたコネクターと、
前記カバーの内面側に位置され前記ランプハウジングと前記カバーの組付状態において前記コネクターと結合される結合体と、
前記ランプハウジング又は前記カバーに取り付けられたアダプターとを備え、
前記コネクター又は前記結合体が前記アダプターに傾動自在に支持された
車輌用灯具。
【請求項２】
前記ランプハウジングに前記アダプターが取り付けられる取付突部が設けられ、
前記アダプターに前記コネクターが支持される支持孔が形成された
請求項１に記載の車輌用灯具。
【請求項３】
前記コネクターには前記支持孔に挿入される弾性変形可能な挿入突部が設けられた
請求項２に記載の車輌用灯具。
【請求項４】
前記コネクター又は前記結合体の一方には前記ランプハウジングと前記カバーの組付時に前記結合体と前記コネクターの位置を合わせる方向へ前記結合体又は前記コネクターを誘導する誘導部が設けられ、
前記コネクター又は前記結合体の他方には前記誘導部に誘導される被誘導部が設けられた
請求項１、請求項２又は請求項３に記載の車輌用灯具。
【発明の詳細な説明】
【技術分野】
【０００１】
本発明は、ランプハウジングとカバーの組付時に結合体とコネクターが結合される車輌用灯具についての技術分野に関する。
【先行技術文献】
【特許文献】
【０００２】
【特許文献１】特開２０１５−９５３２５号公報
【背景技術】
【０００３】
車輌用灯具には、例えば、カバーとランプハウジングによって構成された灯具外筐の内部に、外部電源から電力の供給を受けて光を出射する光源や光源に対して電力を供給するためのコネクター等が配置されたものがある（例えば、特許文献１参照）。
【０００４】
特許文献１に記載された車輌用灯具にあっては、カバーに結合部が取り付けられ、ランプハウジングにフレームを介してコネクターが取り付けられ、ランプハウジングとカバーの組付時に結合部とコネクターが結合されるように構成されている。
【０００５】
車輌用灯具にあっては、カバーに電子部品が配置された結合部が設けられランプハウジングにコネクターが取り付けられており、ランプハウジングとカバーの組付時に結合部とコネクターを電気的に結合することにより電子部品への給電経路を確保したいと言うニーズがある。
【発明の概要】
【発明が解決しようとする課題】
【０００６】
ところで、特許文献１に記載された車輌用灯具のように、カバーに取り付けられた構造とランプハウジングに取り付けられた構造とがカバーとランプハウジングの組付時に結合される構成において、カバーとランプハウジングの高い加工精度及びカバーとランプハウジングに対する各構造の高い位置精度が確保されていない場合には、二つの構造が適正に結合されないおそれがある。
【０００７】
しかしながら、適正な結合を確保するために、上記した高い加工精度及び高い位置精度を確保しようとすると、高い加工精度を確保するための高精度の加工装置が必要とされると共に高い精度管理が必要となり、製造コストの高騰を来してしまう。
【０００８】
そこで、本発明車輌用灯具は、上記した問題点を克服し、製造コストの高騰を来すことなくランプハウジングとカバーの組付時における作業効率の向上を図ることを課題とする。
【課題を解決するための手段】
【０００９】
第１に、本発明に係る車輌用灯具は、上記した課題を解決するために、開口を有するランプハウジングと、前記ランプハウジングの前記開口を覆うカバーと、前記ランプハウジングの内面側に位置されたコネクターと、前記カバーの内面側に位置され前記ランプハウジングと前記カバーの組付状態において前記コネクターと結合される結合体と、前記ランプハウジング又は前記カバーに取り付けられたアダプターとを備え、前記コネクター又は前記結合体が前記アダプターに傾動自在に支持されたものである。
【００１０】
これにより、ランプハウジングとカバーの組付時に結合体とコネクターが結合されるときにコネクター又は結合体がアダプターに対して傾動可能な状態であり、結合体の位置又はコネクターの位置に応じてコネクター又は結合体が傾動されて結合体とコネクターが結合される。
【００１１】
第２に、上記した本発明に係る車輌用灯具においては、前記ランプハウジングに前記アダプターが取り付けられる取付突部が設けられ、前記アダプターに前記コネクターが支持される支持孔が形成されることが望ましい。
【００１２】
これにより、コネクターが支持孔に挿入された状態でアダプターに支持されるため、ランプハウジングの外周部分にコネクターを支持する支持孔が形成されない。
【００１３】
第３に、上記した本発明に係る車輌用灯具においては、前記コネクターには前記支持孔に挿入される弾性変形可能な挿入突部が設けられることが望ましい。
【００１４】
これにより、挿入突部が弾性変形されて支持孔に挿入され弾性復帰されてアダプターに支持される。
【００１５】
第４に、上記した本発明に係る車輌用灯具においては、前記コネクター又は前記結合体の一方には前記ランプハウジングと前記カバーの組付時に前記結合体と前記コネクターの位置を合わせる方向へ前記結合体又は前記コネクターを誘導する誘導部が設けられ、前記コネクター又は前記結合体の他方には前記誘導部に誘導される被誘導部が設けられることが望ましい。
【００１６】
これにより、誘導部によって被誘導部が誘導されて結合体とコネクターの位置が合わされる。
【発明の効果】
【００１７】
本発明によれば、ランプハウジングとカバーの組付状態において結合体とコネクターが結合されるときにコネクター又は結合体がアダプターに対して傾動可能な状態であり、結合体の位置又はコネクターの位置に応じてコネクター又は結合体が傾動されて結合体とコネクターが結合されれるため、製造コストの高騰を来すことなくランプハウジングとカバーの組付時における作業効率の向上を図ることができる。
【図面の簡単な説明】
【００１８】
【図１】図２乃至図１０と共に本発明車輌用灯具の実施の形態を示すものであり、本図は、概略縦断面図である。
【図２】ランプハウジングとカバーを分離して示す車輌用灯具の概略縦断面図である。
【図３】アダプターとコネクターをアダプターがランプハウジングに取り付けられた状態で示す平面図である。
【図４】アダプターに支持された状態で示すコネクターの断面図である。
【図５】コネクターの斜視図である。
【図６】コネクターの側面図である。
【図７】ランプハウジングとアダプターとコネクターの変形例を示す分解斜視図である。
【図８】ランプハウジングとアダプターとコネクターの変形例を示す斜視図である。
【図９】ランプハウジングとアダプターとコネクターの変形例を示す断面図である。
【図１０】接続端子の一部が案内部として用いられる例を示す斜視図である。
【発明を実施するための形態】
【００１９】
以下に、本発明車輌用灯具を実施するための形態について添付図面を参照して説明する。
【００２０】
＜車輌用灯具の構成＞
車輌用灯具１は、例えば、それぞれ車体の前端部における左右両端部に取り付けられて配置されている。
【００２１】
車輌用灯具１は前方に開口が形成された凹部を有するランプハウジング２とランプハウジング２の開口を閉塞するカバー３とを備えている（図１及び図２参照）。
【００２２】
尚、以下には、ランプハウジング２が位置する側を後方としカバー３が位置する側を前方として説明する。但し、以下に示す前後上下左右の方向は説明の便宜上のものであり、本発明の実施に関しては、これらの方向に限定されることはない。
【００２３】
ランプハウジング２とカバー３によって灯具外筐４が構成され、灯具外筐４の内部空間が灯室５として形成されている。灯室５にはランプユニット３０やエクステンション４０等の所要の各部が配置されている。ランプユニット３０は、例えば、主光源３１とリフレクター３２を有している。
【００２４】
ランプハウジング２の外周部は固定部２ａとして設けられている。ランプハウジング２には内面から前方に突出された取付突部６、６が、例えば、左右に離隔して設けられている。
【００２５】
取付突部６、６にはアダプター７がネジ止め等によって取り付けられている（図３参照）。アダプター７は前後方向を向く横長の平板状に形成され、左右方向における中央部に支持孔７ａが形成されている（図３及び図４参照）。アダプター７は支持孔７ａの左右両側の部分が、例えば、ネジ止め等によって取付突部６、６に取り付けられている。
【００２６】
アダプター７にはコネクター８が支持孔７ａに挿通された状態で傾動自在に支持されている。
【００２７】
上記のように、車輌用灯具１にあっては、ランプハウジング２にアダプター７が取り付けられる取付突部６、６が設けられ、アダプター７にコネクター８が支持される支持孔７ａが形成されている。
【００２８】
従って、コネクター８が支持孔７ａに挿入された状態でアダプター７に支持されるため、ランプハウジング２の外周部にコネクター８を支持する支持孔が形成されず、ランプハウジング２とカバー３によって構成される灯室５の防水性の向上を図ることができる。
【００２９】
コネクター８は結合用突部９と被支持部１０が前後で連続されて設けられている（図３乃至図６参照）。
【００３０】
結合用突部９は前後に延びる略角柱状の本体部１１と本体部１１の周面に設けられた突条部１２、１２、・・・とを有している。突条部１２、１２、・・・は前後に延びる形状に形成され、周方向において不等の間隔で離隔して位置されている。
【００３１】
本体部１１における前端部の四つの周面は前端に近付くに従って内方へ変位する傾斜面にされ、これらの傾斜面が被誘導部１１ａ、１１ａ、・・・として形成されている。
【００３２】
被支持部１０は前後方向を向く略平板状のベース部１３とベース部１３の上下両端部からそれぞれ後方に突出された挿入突部１４、１５とを有している。挿入突部１４、１５は互いに離接する方向である略上下方向へ弾性変形可能とされている。
【００３３】
上側の挿入突部１４の上面側には上方、左方及び右方に開口された摺動凹部１６が形成されている。摺動凹部１６は底面１６ａと底面１６ａの前縁に連続された第１の立壁面１６ｂと底面１６ａの後縁に連続された第２の立壁面１６ｃとによって形成されている。底面１６ａは上方に凸の円弧面状に形成され、第１の立壁面１６ｂは略後方に凸の円弧面状に形成され、第２の立壁面１６ｃは略前方に凸の円弧面状に形成されている。
【００３４】
第１の立壁面１６ｂは上方へ行くに従って前方へ変位するように緩やかに傾斜され、第２の立壁面１６ｃは上方へ行くに従って後方へ変位するように緩やかに傾斜されている。第１の立壁面１６ｂと第２の立壁面１６ｃの間隔は、左右方向における中央が最も小さくされ、左右両端が最も大きくされ同じ大きさにされている。
【００３５】
下側の挿入突部１５の下面側には下方、左方及び右方に開口された摺動凹部１７が形成されている。摺動凹部１７は底面１７ａと底面１７ａの前縁に連続された第１の立壁面１７ｂと底面１７ａの後縁に連続された第２の立壁面１７ｃとによって形成されている。底面１７ａは下方に凸の円弧面状に形成され、第１の立壁面１７ｂは後方を向く平面状に形成され、第２の立壁面１７ｃは前方を向く平面状に形成されている。
【００３６】
第１の立壁面１７ｂと第２の立壁面１７ｃの間隔は一様にされ、摺動凹部１６の第１の立壁面１６ｂと第２の立壁面１６ｃの間隔より大きくされている。
【００３７】
挿入突部１４の上面における後端部と挿入突部１５の下面における後端部とはそれぞれ被案内傾斜面１４ａ、１５ａとして形成されている。被案内傾斜面１４ａは後方へ行くに従って下方へ変位するように傾斜され、被案内傾斜面１５ａは後方へ行くに従って上方へ変位するように傾斜されている。
【００３８】
コネクター８には複数の接続端子８ａ、８ａ、・・・が埋設され、各接続端子８ａ、８ａ、・・・の前端部が本体部１２の前面に露出されている（図１乃至図３参照）。接続端子８ａ、８ａ、・・・にはケーブル５０、５０、・・・が接続されており、ケーブル５０、５０、・・・を介して接続端子８ａ、８ａ、・・・に外部電源から電流が供給される。尚、所定のケーブル５０は主光源３１に接続されている。
【００３９】
上記のように構成されたコネクター８は挿入突部１４、１５が支持孔７ａに前側から挿入されてアダプター７に傾動自在に支持される。挿入突部１４、１５が支持孔７ａに挿入されるときには、支持孔７ａの上側開口縁と下側開口縁にそれぞれ被案内傾斜面１４ａ、１５ａが摺動されて挿入突部１４、１５が互いに近付く方向へ弾性変形され、摺動凹部１６、１７がアダプター７に一致された位置において挿入突部１４、１５が弾性復帰されて摺動凹部１６、１７にアダプター７の一部が挿入されて結合されることによりコネクター８がアダプター７に支持される（図３参照）。
【００４０】
上記のように、コネクター８には支持孔７ａに挿入される弾性変形可能な挿入突部１４、１５が設けられ、挿入突部１４、１５が弾性変形されて支持孔７ａに挿入され弾性復帰されてアダプター７に支持されるため、コネクター８のアダプター７に対する組付を容易に行うことができる。
【００４１】
アダプター７に支持されたコネクター８は摺動凹部１６、１７が上記のような形状に形成されているため、アダプター７は摺動凹部１６に支持された部分を支点として上下方向及び左右方向へ傾動可能とされる。
【００４２】
カバー３の外周部はシール足３ａとして設けられている（図１及び図２参照）。カバー３には内面から後方に突出された結合体１８が設けられている。尚、結合体１８は少なくとも一部がカバー３と一体に形成されていてもよく、また、カバー３とは別体で構成され、カバー３に取り付けられていてもよい。
【００４３】
結合体１８は、例えば、導光体１９と導光体１９へ向けて光を出射する光源２０ａと光源２０ａの駆動回路となる電子部品２０ｂと光源２０ａ及び電子部品２０ｂが搭載された基板２１とを有している。尚、結合体１８は電気的な接続を必要とする構造であれば、他の構造でもよい。
【００４４】
導光体１９はカバー３に連続され、導光体１９からは後方へ向けて結合部２２が突出されている。結合部２２は、例えば、略角筒状に形成され、結合部２２の内周面には図示しない凹凸部が形成されている。
【００４５】
光源２０ａと電子部品２０ｂと基板２１は、例えば、導光体１９の後端側に位置され、光源２０と電子部品２０ｂは基板２１の前面に搭載されている。光源２０は、例えば、ＬＥＤ（Light Emitting Diode）であり、基板２１の後面には、例えば、図示しない端子部が設けられている。光源２０ａから出射される光は導光体１９に入射され、導光体１９の内部で導かれて外部へ向けて照射される。
【００４６】
＜車輌用灯具における組付＞
上記のように構成された車輌用灯具１において、ランプハウジング２とカバー３は固定部２ａとシール足３ａが位置合わせされて固定されランプハウジング２とカバー３が組み付けられる。
【００４７】
このとき同時に結合体１８とコネクター８が結合される。結合体１８とコネクター８の結合は結合体１８の結合部２２にコネクター８の本体部１１が挿入されることにより行われる。結合部２２に本体部１１が挿入されるときには、結合部２２の開口縁に本体部１１の少なくとも一つの被誘導部１１ａが摺動され本体部１１が結合部２２の内部に挿入されていく。従って、結合部２２の開口縁は本体部１１を誘導する誘導部２２ａとして機能する。
【００４８】
また、ランプハウジング２とカバー３が組み付けられるときには両者の相対角度や両者のランプハウジング２とカバー３に対する位置精度等によってコネクター８と結合体１８の結合時の角度や位置が若干ずれる可能性がある。しかしながら、コネクター８はアダプター７に対して傾動可能とされているため、角度や位置のずれが生じている場合においてはコネクター８を必要な方向へ必要な角度傾動させることにより結合用突部９を結合部２２に容易に挿入することができる。
【００４９】
本体部１１が結合部２２の所定の位置まで挿入されることによりコネクター８と結合体１８の結合が完了する。コネクター８と結合体１８の結合が完了された状態においては、結合部２２の内周面に形成された凹凸部のうち凸部が本体部１１の突条部１２、１２、・・・間に挿入され凹部に突条部１２、１２、・・・が挿入されコネクター８と結合体１８の位置決めが行われる。また、このとき本体部１１の前面に露出されている接続端子８ａ、８ａ、・・・と基板２１の後面に設けられた端子部とが接続され、接続端子８ａ、８ａ、・・・を介して光源２０ａに対する電流の供給が可能な状態にされる。
【００５０】
上記のように、車輌用灯具１にあっては、結合体１８にランプハウジング２とカバー３の組付時に結合体１８とコネクター８の位置を合わせる方向へコネクター８を誘導する誘導部２２ａが設けられ、コネクター８に誘導部２２ａに誘導される被誘導部１１ａ、１１ａ、・・・が形成されている。
【００５１】
従って、誘導部２２ａによって被誘導部１１ａ、１１ａ、・・・が誘導されて結合体１８とコネクター８の位置が合わされるため、結合体１８とコネクター８を確実に結合することができる。
【００５２】
尚、上記には、結合体１８に誘導部２２ａが設けられコネクター８に被誘導部１１ａが形成された例を示したが、逆に、結合体１８に被誘導部が形成されコネクター８に誘導部が設けられていてもよい。
【００５３】
また、上記には、コネクター８の第１の立壁面１７ｂと第２の立壁面１７ｃの間隔が第１の立壁面１６ｂと第２の立壁面１６ｃの間隔より大きくされ、コネクター８は摺動凹部１６がアダプター７に支持された部分を支点として上下方向及び左右方向へ傾動可能とされた例を示した。但し、コネクター８の第１の立壁面１７ｂと第２の立壁面１７ｃの間隔が第１の立壁面１６ｂと第２の立壁面１６ｃの間隔より小さくされ、コネクター８は摺動凹部１７がアダプター７に支持された部分を支点として上下方向及び左右方向へ傾動可能とされていてもよい。
【００５４】
さらに、上記には、結合体１８の結合部２２にコネクター８の結合用突部９が挿入されて結合体１８とコネクター８が結合される例を示したが、結合体の結合部がコネクターの結合用突部に挿入されて結合体とコネクターが結合される構成にされていてもよい。
【００５５】
＜変形例＞
以下に、ランプハウジングとアダプターとコネクターの変形例について説明する（図７乃至図９参照）。
【００５６】
ランプハウジング２Ａには内面から前方に突出された取付突部６Ａ、６Ａが、例えば、左右に離隔して設けられ、取付突部６Ａ、６Ａに変形例に係るアダプター７Ａがネジ止め等によって取り付けられている。取付突部６Ａ、６Ａの外面にはそれぞれ係合凹部６ａ、６ａが形成されている。
【００５７】
ランプハウジング２Ａには取付突部６Ａ、６Ａの間の位置に前方に突出された案内突部２３が設けられている。案内突部２３の先端部は半球状の案内部２３ａとして設けられている。
【００５８】
アダプター７Ａは軸方向が前後方向にされた円筒部２４と円筒部２４の前端部から内方に張り出された規制部２５と円筒部２４からそれぞれ後方に突出された一対の係合突部２６、２６とを有している。アダプター７Ａは、例えば、それぞれ係合突部２６、２６の各半部を含む対称な形状に形成された二つの部材が結合されて構成されている。
【００５９】
円筒部２４には内方に張り出された円環状のストッパー部２４ａが設けられている。円筒部２４の内面のうちストッパー部２４ａより前側の部分は球面状の受け面２４ｂとして形成されている。
【００６０】
規制部２５の内側の空間は支持孔２５ａとして形成されている。
【００６１】
係合突部２６、２６は円筒部２４の周方向における１８０°反対側の位置から後方に突出されている。係合突部２６、２６は互いに離接する方向へ弾性変形可能とされ、後端部に互いに近付く方向に突出された係合爪部２６ａ、２６ａを有している。
【００６２】
アダプター７Ａにはコネクター８Ａが支持孔２５ａに挿通された状態で傾動自在に支持されている。
【００６３】
上記のように、ランプハウジング２Ａにアダプター７Ａが取り付けられる取付突部６Ａ、６Ａが設けられ、アダプター７Ａにコネクター８Ａが支持される支持孔２５ａが形成されている。
【００６４】
従って、コネクター８Ａが支持孔２５ａに挿入された状態でアダプター７Ａに支持されるため、ランプハウジング２Ａにコネクター８Ａを支持する支持孔が形成されず、ランプハウジング２Ａとカバー３によって構成される灯室５の防水性の向上を図ることができる。
【００６５】
コネクター８Ａは結合用突部２７と被支持部２８が前後で連続されて設けられている。
【００６６】
結合用突部２７は略角柱状に形成され、前端部の四つの周面が前端に近付くに従って内方へ変位するように傾斜された被誘導部２７ａ、２７ａ、・・・として形成されている。尚、結合用突部２７の周面には、コネクター８の結合用突部９に設けられている突状部１２、１２、・・・が設けられていてもよい。
【００６７】
被支持部２８は前方に凸の略半球状に形成され、球面が摺動面２８ａとして形成されている。被支持部２８の後面側には後方に開口された球状の凹部である被案内部２８ｂが形成されている。被案内部２８ｂの曲率はランプハウジング２Ａに設けられた案内突部２３における案内部２３ａの表面の曲率と同じにされている。
【００６８】
コネクター８Ａには図示しない複数の接続端子が埋設され、各接続端子の前端部が結合用突部２７の前面に露出されている。接続端子には図示しないケーブルが接続されており、ケーブルを介して接続端子に外部電源から電流が供給される。
【００６９】
上記のように構成されたコネクター８Ａは結合用突部２７がアダプター７Ａの支持孔２５ａに後方から挿通され被支持部２８が規制部２５とストッパー部２４ａの間に配置されてアダプター７Ａに傾動自在に支持される。コネクター８Ａがアダプター７Ａに支持された状態においては、被支持部２８の摺動面２８ａが受け面２４ｂに接した状態にされる。
【００７０】
コネクター８Ａがアダプター７Ａに支持された状態において、アダプター７Ａは係合突部２６、２６が互いに離隔する方向へ弾性変形され、弾性復帰されて係合爪部２６ａ、２６ａがそれぞれ係合凹部６ａ、６ａに係合されることにより取付突部６Ａ、６Ａに取り付けられる。
【００７１】
アダプター７Ａが取付突部６Ａ、６Ａに取り付けられた状態においては、コネクター８Ａの被支持部２８に形成された被案内部２８ｂに案内突部２３の案内部２３ａが接した状態にされ、コネクター８Ａが案内部２３ａを支点としてアダプター７Ａに対して任意の方向へ傾動可能にされる。コネクター８Ａは傾動時に摺動面２８ａが受け面２４ｂに摺動される。また、コネクター８Ａは被支持部２８がアダプター７Ａのストッパー部２４ａに接触する位置まで傾動可能であり、ストッパー部２４ａによってコネクター８Ａの過度の傾動が規制される。
【００７２】
上記のように、アダプター７Ａには弾性変形可能な係合突部２６、２６が設けられ、コネクター８Ａがアダプター７Ａに支持された状態で係合突部２６、２６が弾性変形されて取付突部６Ａ、６Ａに取り付けられるため、アダプター７Ａとコネクター８Ａのランプハウジング２Ａに対する組付を容易に行うことができる。
【００７３】
上記のようにコネクター８Ａが支持されたアダプター７Ａが取付突部６Ａ、６Ａに取り付けられた状態において、ランプハウジング２Ａとカバー３が組み付けられるときには、同時に結合体１８とコネクター８Ａが結合される。結合体１８とコネクター８Ａの結合は結合体１８の結合部２２にコネクター８Ａの結合用突部２７が挿入されることにより行われる。結合部２２に結合用突部２７が挿入されるときには、結合部２２の誘導部２２ａに結合用突部２７の少なくとも一つの被誘導部２７ａが摺動され結合用突部２７が結合部２２の内部に挿入されていく。
【００７４】
ランプハウジング２Ａとカバー３が組み付けられるときには両者の相対角度や両者のランプハウジング２Ａとカバー３に対する位置精度等によってコネクター８Ａと結合体１８の結合時の角度や位置が若干ずれる可能性がある。しかしながら、コネクター８Ａはアダプター７Ａに対して傾動可能にされているため、角度や位置のずれが生じている場合においてはコネクター８Ａを必要な方向へ必要な角度傾動させることにより結合部２２に容易に挿入することができる。
【００７５】
結合用突部２７が結合部２２の所定の位置まで挿入されることによりコネクター８Ａと結合体１８の結合が完了する。コネクター８Ａと結合体１８の結合が完了された状態においては、結合用突部２７の前面に露出されている接続端子が基板２１の後面に設けられた端子部に接続され、接続端子を介して光源２０ａに対する電流の供給が可能な状態にされる。
【００７６】
上記のように、結合体１８には誘導部２２ａが設けられ、コネクター８Ａには誘導部２２ａに誘導される被誘導部２７ａ、２７ａ、・・・が形成されている。
【００７７】
従って、誘導部２２ａによって被誘導部２７ａ、２７ａ、・・・が誘導されて結合体１８とコネクター８Ａの位置が合わされるため、結合体１８とコネクター８Ａを確実に結合することができる。
【００７８】
尚、上記には、結合体１８に誘導部２２ａが設けられコネクター８Ａに被誘導部２７ａが形成された例を示したが、逆に、結合体１８に被誘導部が形成されコネクター８Ａに誘導部が設けられていてもよい。
【００７９】
また、ランプハウジング２Ａにはアダプター７Ａに対する傾動時にコネクター８Ａを案内する案内部２３ａが設けられ、コネクター８Ａには案内部２３ａに案内される被案内部２７ａが形成されているため、傾動時にコネクター８Ａが案内部２３ａに案内されて傾動され、コネクター８Ａが意図しない方向へ不必要に傾動されず、コネクター８Ａの安定した傾動動作を確保することができる。
【００８０】
さらに、案内部２３ａが半球状の凸部として形成され、被案内部２７ａが案内部２３ａに摺動される半球面状の凹部として形成されているため、半球面状の凹部が半球状の凸部に摺動されコネクター８Ａが案内部２３ａに案内されて傾動され、コネクター８Ａが任意の方向へ傾動可能とされ、結合体１８のコネクター８Ａへの結合を円滑かつ確実に行うことができる。
【００８１】
尚、上記には、案内部２３ａが半球状の凸部として形成され被案内部２７ａが半球面状の凹部として形成された例を示したが、逆に、案内部２３ａが半球面状の凹部として形成され被案内部２７ａが半球状の凸部として形成されていてもよい。
【００８２】
また、上記には、結合体１８の結合部２２にコネクター８Ａの結合用突部２７が挿入されて結合体１８とコネクター８Ａが結合される例を示したが、結合体の結合部がコネクターの結合用突部に挿入されて結合体とコネクターが結合される構成にされていてもよい。
【００８３】
＜その他＞
尚、コネクター８、８Ａには、図１０に示すように、一般に、複数の接続端子２９、２９、・・・が設けられるが、基板２１の端子部には一部を除いた数の接続端子２９、２９、・・・が接続される。例えば、六つの接続端子２９、２９、・・・が設けられている場合に、二つの接続端子２９、２９は使用されない。
【００８４】
このような場合には、使用されない二つの接続端子２９、２９を他の接続端子より突出させ、突出された接続端子２９、２９を結合体１８と結合されるときの案内部として用いることが可能である。具体的には、結合体１８に二つの挿入穴を形成し、結合体１８とコネクター８、８Ａが結合されるときに二つの接続端子２９、２９がそれぞれ挿入穴に挿入されることにより、結合体１８とコネクター８、８Ａが位置合わせされて結合される。
【００８５】
このように一部の接続端子２９を案内部として機能させることにより、他に専用の案内部を設ける必要がなく、構造の簡素化を図った上で結合体１８とコネクター８、８Ａを適正な位置で確実に結合することができる。
【００８６】
さらに、上記には、ランプハウジング２、２Ａにアダプター７、７Ａが取り付けられ、コネクター８、８Ａがアダプター７、７Ａに傾動自在に支持され、固定された状態の結合体１８と傾動可能なコネクター８、８Ａとが結合される例を示した。但し、本発明においては、逆に、カバー３にアダプター７、７Ａが取り付けられ、結合体１８がアダプター７、７Ａに傾動自在に支持され、傾動可能な結合体１８と固定された状態のコネクター８、８Ａとが結合される構成にされていてもよい。
【００８７】
＜まとめ＞
以上に記載した通り、車輌用灯具１にあっては、ランプハウジング２、２Ａの内面側に位置されたコネクター８、８Ａと、カバー３の内面側に位置された結合体１８と、ランプハウジング２、２Ａ又はカバー３に取り付けられたアダプター７、７Ａとが設けられ、コネクター８、８Ａ又は結合体１８がアダプター７、７Ａに傾動自在に支持されている。
【００８８】
従って、ランプハウジング２、２Ａとカバー３の組付状態において（組付時）結合体１８とコネクター８、８Ａが結合されるときに結合体１８又はコネクター８、８Ａがアダプター７、７Ａに対して傾動可能な状態である。これにより、結合体１８の向きや位置又はコネクター８、８Ａの向きや位置に応じてコネクター８、８Ａ又は結合体１８が傾動されて結合体１８とコネクター８、８Ａが結合されれるため、製造コストの高騰を来すことなくランプハウジング２、２Ａとカバー３の組付時における作業効率の向上を図ることができる。
【００８９】
尚、カバー３とランプハウジング２、２Ａの組付工程においては、一般に、ランプハウジング２、２Ａが固定された状態において保持具によって保持されたカバー３がランプハウジング２、２Ａ側へ移動されてランプハウジング２、２Ａとカバー３が組み付けられる。
【００９０】
従って、上記したように、ランプハウジング２、２Ａに取り付けられたアダプター７、７Ａにコネクター８、８Ａが傾動自在に支持され、結合体１８がカバー３に対して固定された状態にされることにより、カバー３の移動時に結合体１８が不必要に傾動されることがなく、結合体１８とコネクター８、８Ａの結合作業を円滑に行うことができる。
【符号の説明】
【００９１】
１…車輌用灯具、２…ランプハウジング、３…カバー、６…取付突部、７…アダプター、７ａ…支持孔、８…コネクター、１１ａ…被誘導部、１４…挿入突部、１５…挿入突部、１８…結合体、２Ａ…ランプハウジング、６Ａ…取付突部、７Ａ…アダプター、８Ａ…コネクター、２３ａ…案内部、２５ａ…支持孔、２７ａ…被誘導部、２８ｂ…被案内部
【図１】
2017120734.tif 000003
【図２】
2017120734.tif 000004
【図３】
2017120734.tif 000005
【図４】
2017120734.tif 000006
【図５】
2017120734.tif 000007
【図６】
2017120734.tif 000008
【図７】
2017120734.tif 000009
【図８】
2017120734.tif 000010
【図９】
2017120734.tif 000011
【図１０】
2017120734.tif 000012